(57)【要約】【課題】波長選択膜に生じる光束周辺部の減衰を補正して安定したサーボ信号を得る。【解決手段】波長選択膜５ｃは入射角度によって透過率が変動する。また、第１波長の光束８が対物レンズ１１により収束光となって波長選択膜５ｃに垂直入射すると、光束８の周辺部の透過率は低下して、波長選択膜５ｃを透過後の光強度分布は透過前に比べて光束の周辺部において光強度が低下した強度分布となる。この減衰を補正するカップリングレンズ、光学素子の手段によって、最外周部での光強度として中心の光強度の３０％以上を確保して良好なサーボ信号を検出する。このサーボ信号によって安定した記録再生を行う。【選択図】図１
2006351145.tif 000002
【特許請求の範囲】
【請求項１】
ホログラフィを利用して情報の記録を行う光情報記録媒体であって、
サーボピットパターンまたはウォブル溝を有する反射層と、干渉パターンによって情報が記録される記録層と、前記透明基板と前記記録層との間に設けられ光源からの第１波長の光束を透過し、第２波長の光束を反射する波長選択膜とを有し、
前記波長選択膜が、誘電体多層膜からなることを特徴とする光情報記録媒体。
【請求項２】
前記波長選択膜とサーボピットパターンまたはウォブル溝を有する面との間隔ｔが、対物レンズの開口数をＮＡ、光源波長をλ、前記サーボピットパターンまたはウォブル溝を有する面と前記波長選択膜の間の屈折率をｎとして、次の（数１）
【数１】
2006351145.tif 000007
の条件を満たすことを特徴とする請求項１記載の光情報記録媒体。
【請求項３】
前記波長選択膜を透過する第１波長の光束が、波長６５０±５ｎｍの赤色光であることを特徴とする請求項１または２記載の光情報記録媒体。
【請求項４】
請求項１〜３のいずれか１項に記載の光情報記録媒体と、波長の異なる複数の光源と、少なくとも１つの前記光源からの出射光をカップリングレンズにより取り込み前記光情報記録媒体に照射する対物レンズと、前記光情報記録媒体からの反射光を受ける受光素子とを有し、前記光情報記録媒体に情報の記録、消去または再生のいずれかを行う光ピックアップ装置であって、
前記光源からの第１波長の光束が前記光情報記録媒体の波長選択膜の透過時に前記光束の周辺部に発生する光強度の減衰を補正する手段を備えたことを特徴とする光ピックアップ装置。
【請求項５】
前記第１波長の光束が、波長６５０±５ｎｍの赤色光であることを特徴とする請求項４記載の光ピックアップ装置。
【請求項６】
前記補正する手段が、光源から出射する第１波長の光束における最外周部の光強度を中心部の光強度の３０％より大きくすることを特徴とする請求項４または５記載の光ピックアップ装置。
【請求項７】
前記補正する手段が、光源から出射する第１波長の光束を取り込むカップリングレンズであることを特徴とする請求項４または５記載の光ピックアップ装置。
【請求項８】
前記補正する手段が、光源から出射する第１波長の光束を前記対物レンズに導く光路間に設けた、前記光束の光強度分布を変える光学素子であることを特徴とする請求項４〜６のいずれか１項に記載の光ピックアップ装置。
【請求項９】
前記光学素子が、光束の光透過率を中心部よりも周辺部を大きくすることを特徴とする請求項８記載の光ピックアップ装置。
【請求項１０】
前記光学素子が、光束を透過させる偏光方向が中心部と周辺部で異なることを特徴とする請求項８記載の光ピックアップ装置。
【請求項１１】
請求項４〜１０のいずれか１項に記載の光ピックアップ装置を搭載したことを特徴とする光メモリ装置。
【発明の詳細な説明】
【技術分野】
【０００１】
本発明は、ホログラフィを利用して情報を記録する光情報記録媒体および光ピックアップ装置ならびに光メモリ装置に関するものである。
【背景技術】
【０００２】
近年、パーソナルコンピュータ（以下、パソコンという）に代表される情報機器の小型化、軽量化および低価格化が進み、特にモバイル型のパソコンが急速に普及しつつある。それに伴って、パソコンの周辺機器である光ディスク装置の小型化、軽量化および低価格化への要求にこたえるべく、光ディスク装置の構成要素の１つである光ピックアップ装置の小型化および低コスト化によりさらに広く流通している。
【０００３】
これに用いるホログラフィを利用して光情報記録媒体に情報を記録する技術は、一般的に、イメージ情報を持った光と参照光とを記録媒体の内部で重ね合わせ、そのときにできる干渉縞を記録媒体に書き込むことによって行われる。記録された情報の再生時には、その記録媒体に参照光を照射することにより、干渉縞による回折により再生される。
【０００４】
そして、このホログラフィを利用して情報を記録するための光情報記録媒体に対して安定したサーボ検出ができるようにするため、例えば特許文献１に記載される光情報記録媒体は、図１２に示すように、下基板（透明基板）１と、干渉パターンによって情報が記録されるホログラム記録層３と、下基板１とホログラム記録層３との間に設けられ、第１波長の光束を透過し、第２波長の光束を反射するフィルタ層（波長選択膜）５とから構成されている。
【０００５】
この構成によれば、フィルタ層５は、第１波長の光束（例えば、赤色光）を透過させ、第２波長の光束（例えば、緑色光）を反射させる。これによって２種類の波長の光束を分離することができるので、それぞれの影響を受けずに別々の目的で用いることが開示されている。
【０００６】
具体的には、第１波長の光束である赤色光によって、フォーカス，トラッキングというサーボを行い、第２波長の光束である緑色光で情報の記録再生を行う。これにより干渉パターンによって情報が記録される記録層に影響を与えることなく、安定したサーボ検出が可能となり従来の光ディスクと同様のサーボシステムを使うことができ、記録容量の低下も生じないというものである。
【０００７】
また、特許文献２には、多層ディスクにおいて、それぞれの情報記録面の間隔ｔを規定したものであり、読取光が情報記録面のうちの１つにオンフォーカスしているときに得られる再生レベルに対して、読取光が情報記録面のうちの他の情報記録面にデフォーカスしているときに得られる再生レベルが１／１０以下となるようにするため、対物レンズの開口数をＮＡ、光源波長をλ、情報記録面の間の屈折率をｎ、積層数をｉとして、間隔ｔは以下の（数１）
【０００８】
【数１】
2006351145.tif 000003
のように表されることが開示されている。
【特許文献１】特開２００４−２６５４７２号公報
【特許文献２】特許第３５６１７１１号公報
【非特許文献１】神谷武志，外78名，「光・薄膜技術マニュアル」，第１版，オプトロニクス社，平成元年10月９日，p.252
【発明の開示】
【発明が解決しようとする課題】
【０００９】
しかしながら、特許文献１に記載される第１波長の光束を透過し、第２波長の光束を反射するフィルタ層（波長選択膜）には以下のような問題がある。
【００１０】
波長選択膜として用いる最も有効な方式は、誘電体多層膜を用いることであるが、この誘電体多層膜は交互に積み重ねた薄膜の干渉を利用して特定の波長を取り出す干渉フィルタである。このような誘電体多層膜は、屈折率をｎ、光路長をｄ、波長をλ０としたとき、光学的厚さが（数２）
【００１１】
【数２】
2006351145.tif 000004
となる膜を重ねた構成となっているため、光路長ｄが変わってしまうと特定の波長を取り出す性能が劣化してしまう。
【００１２】
具体的には、誘電体多層膜に収束光が入射すると、光束の中心部の光はほぼ垂直（θ＝０）に誘電体多層膜を透過するのに対して、光束の周辺部の光は斜め（θ≠０）に誘電体多層膜を透過するため、設計した本来の光路長ｄとは異なる光路長となってしまう。したがって、第１波長の光束を収束光で誘電体多層膜に入射させると、この周辺部の光束は透過率が低下してしまう。
【００１３】
特許文献１の構成では第１波長の光束は誘電体多層膜を２回通るため、光束の周辺部の光は透過率が著しく低下してしまう。図１３に入射角度と透過率の関係を示す（非特許文献１参照）。図１３に示すように、波長５５５ｎｍの光が垂直入射（θ＝０）とき１００％近く透過するように設計された誘電体多層膜に、３０°の角度（θ＝３０）で光束を入射させると、透過率は２０〜３５％程度まで低下してしまう。
【００１４】
したがって、ＮＡ０．６５の対物レンズによる収束光が誘電体多層膜に入射すると光強度分布は、光束の周辺部の強度が低下した形となる。さらにサーボピットパターンまたはウォブル溝を有する反射層で反射され、再度、誘電体多層膜を透過した光束の光強度分布は一段と周辺部の強度が低下した形となる。
【００１５】
光束の周辺部の光強度分布が低下すると、サーボピットパターンまたはウォブル溝のある面で十分小さいスポットを形成できなかったり、プッシュプル信号が低下して安定したサーボ信号が得られなかったりする、といった不具合が生じてくる。
【００１６】
本発明は、前記従来技術の問題を解決することに指向するものであり、波長選択膜において生じる光束周辺部の減衰を補正して安定したサーボ信号を得ることができる光ピックアップ装置および光メモリ装置を提供することを目的とする。
【課題を解決するための手段】
【００１７】
前記の目的を達成するために、本発明に係る請求項１に記載した光情報記録媒体は、ホログラフィを利用して情報の記録を行う光情報記録媒体であって、サーボピットパターンまたはウォブル溝を有する反射層と、干渉パターンによって情報が記録される記録層と、透明基板と記録層との間に設けられ光源からの第１波長の光束を透過し、第２波長の光束を反射する波長選択膜とを有し、波長選択膜が、誘電体多層膜からなることによって、第１波長の光束の透過率を大きくし、第２波長の光束の反射率を大きくできる。
【００１８】
また、請求項２，３に記載した光情報記録媒体は、請求項１の光情報記録媒体であって、波長選択膜とサーボピットパターンまたはウォブル溝を有する面との間隔ｔが、対物レンズの開口数をＮＡ、光源波長をλ、サーボピットパターンまたはウォブル溝を有する面と波長選択膜の間の屈折率をｎとして、次の（数３）
【００１９】
【数３】
2006351145.tif 000005
の条件を満たすこと、さらに、波長選択膜を透過する第１波長の光束が、波長６５０±５ｎｍの赤色光であることよって、サーボピットパターンまたはウォブル溝の面と波長選択膜の間隔を一定の間隔より大きくして波長選択膜を反射した第１波長の光がフレアとして受光素子に影響を及ぼすことがなく、さらに、第１波長をＤＶＤと同じ６５０ｎｍとすることで、ホログラム記録層を感光させることなく、かつ従来の回路構成を利用でき、安定したサーボ信号を得ることができる。
【００２０】
また、請求項４に記載した光ピックアップ装置は、請求項１〜３のいずれか１項に記載の光情報記録媒体と、波長の異なる複数の光源と、少なくとも１つの光源からの出射光をカップリングレンズにより取り込み光情報記録媒体に照射する対物レンズと、光情報記録媒体からの反射光を受ける受光素子とを有し、光情報記録媒体に情報の記録、消去または再生のいずれかを行う光ピックアップ装置であって、光源からの第１波長の光束が光情報記録媒体の波長選択膜の透過時に光束の周辺部に発生する光強度の減衰を補正する手段を備えた構成によって、波長選択膜を透過する第１波長の光束における光強度分布を、周辺部の強度が大きくして、サーボピットパターンまたはウォブル溝の面上に良好なスポットを得ることができる。
【００２１】
また、請求項５に記載した光ピックアップ装置は、請求項４の光ピックアップ装置であって、第１波長の光束が、波長６５０±５ｎｍの赤色光である構成によって、第１波長をＤＶＤと同じ６５０ｎｍとすることで、ホログラム記録層を感光させることなく、かつ従来の回路構成を利用することができる。
【００２２】
また、請求項６，７に記載した光ピックアップ装置は、請求項４，５の光ピックアップ装置であって、補正する手段が、光源から出射する第１波長の光束における最外周部の光強度を中心部の光強度の３０％より大きくすること、また補正する手段が、光源から出射する第１波長の光束を取り込むカップリングレンズである構成によって、波長選択膜の透過による周辺部の光量低下を補って、サーボピットパターンまたはウォブル溝の面上で良好なスポットを形成し、プッシュプル信号の低下を抑制し、良好なスポットを得られると同時に良好なサーボ信号を得ることができる。
【００２３】
また、請求項８〜１０に記載した光ピックアップ装置は、請求項４〜６の光ピックアップ装置であって、補正する手段が、光源から出射する第１波長の光束を対物レンズに導く光路間に設けた、光束の光強度分布を変える光学素子であること、また光学素子が、光束の光透過率を中心部よりも周辺部を大きくすること、また光学素子が、光束を透過させる偏光方向が中心部と周辺部で異なる構成によって、サーボピットパターンまたはウォブル溝の面上で良好なスポットを形成し、プッシュプル信号の低下を抑制できる。
【００２４】
また、請求項１１に記載した光メモリ装置は、請求項４〜１０のいずれか１項に記載の光ピックアップ装置を搭載した構成によって、信頼性の高いサーボ制御が可能なる光メモリ装置を得ることができる。
【発明の効果】
【００２５】
本発明によれば、波長選択膜を透過することにより光束の周辺部に生じる光強度の低下を補正し、反射層のサーボピットパターンまたはウォブル溝の面上に良好なスポットが形成でき、サーボ信号を検出するためのプッシュプル信号の低下を抑制して、安定した記録再生ができるという効果を奏する。
【発明を実施するための最良の形態】
【００２６】
以下、図面を参照して本発明における実施の形態を詳細に説明する。
【００２７】
図１は本発明の実施の形態１における光情報記録媒体の概略構成を示す図である。ここで、前記従来例を示す図１２において説明した構成部材に対応し実質的に同等機能のものには同一の符号を付して示す。
【００２８】
図１に示す光情報記録媒体１０において、１は透明基板の下基板、２はサーボピットパターンまたはウォブル溝の形成された反射層、３は情報を記録するホログラム記録層、４はカバー層である上基板、５はフィルタ層、５ａはギャップＡ層、５ｂはギャップＢ層、５ｃは波長選択膜である。また、８は第１波長の光束、９は第２波長の光束、１１は対物レンズである。また、図２は光情報記録媒体に第１波長の光束が入射したときの、（ａ）は波長選択膜の透過前、（ｂ）は波長選択膜の透過後、（ｃ）は反射層で反射され波長選択膜を再度透過後の光束の光強度を示す図である。
【００２９】
本実施の形態１について図１，図２を参照しながら説明する。図１に示す光情報記録媒体において、対物レンズ１１により収束光となった第１波長（λ１＝６５０ｎｍ）の光束８と第２波長（λ２＝５３２ｎｍ）の光束９が光情報記録媒体１０に照射される場合を考える。
【００３０】
第１波長の光束８は、上基板（カバー層）４、ホログラム記録層３、ギャップＡ層５ａ、波長選択膜５ｃ、ギャップＢ層５ｂを透過してサーボピットパターンまたはウォブル溝の形成された反射層２上に集光される。反射層２には反射膜が設けられており、ここで反射された第１波長（λ１＝６５０ｎｍ）の光束８は反射層２のサーボピットパターンまたはウォブル溝の情報を読み取って、ギャップＢ層５ｂ、波長選択膜５ｃ、ギャップＡ層５ａ、ホログラム記録層３、上基板４、と戻っていく。この光束によりフォーカス信号，トラック信号のようなサーボ信号が得られ、光情報記録媒体１０のどの位置に情報が記録されたか分かるようになる。
【００３１】
一方、第２波長（λ２＝５３２ｎｍ）の光束９は、上基板４、ホログラム記録層３、ギャップＡ層５ａを透過し波長選択膜５ｃで反射される。波長選択膜５ｃで反射された光は、ギャップＡ層５ａ、ホログラム記録層３、上基板４と戻っていき、ＣＣＤやＣＭＯＳセンサ（図示せず）で受光することにより情報の記録再生を行うことができる。
【００３２】
データ記録時には情報光と参照光が照射され、ホログラム記録層３に情報が記録される。またデータ再生時には、参照光が照射され、ホログラム記録層３に記録されたデータが再生される。
【００３３】
このように波長選択膜５ｃによって第１波長（λ１＝６５０ｎｍ）の光束８と第２波長（λ２＝５３２ｎｍ）の光束９を完全に分離することができるため、第１波長（λ１＝６５０ｎｍ）の光束８からサーボ信号を、第２波長（λ２＝５３２ｎｍ）の光束９から記録再生信号を得られる。したがって、ホログラフィを利用して情報を記録する光情報記録媒体１０においても従来の光ディスク（ＢＤ（Ｂlu-ray Ｄisc），ＨＤ−ＤＶＤ，ＤＶＤ，ＣＤなど）と同様に情報を扱うことができる。
【００３４】
しかしながら、波長選択膜５ｃは入射角度によって透過率が変動するという前述したような欠点がある。第１波長の光束８が対物レンズ１１により収束光となって波長選択膜５ｃに垂直入射すると、光束８の周辺部の透過率は低下するため、波長選択膜５ｃを透過後の光強度分布は透過前に比べて光束の周辺部において光強度が低下した強度分布となる（図２（ｂ）参照）。さらに反射層２の反射膜で反射され、再度、波長選択膜５ｃを透過すると光強度分布はさらに周辺部の光強度が低下した強度分布となる（図２（ｃ）参照）。
【００３５】
前述の波長選択膜により光束を分離するため、光束の周辺部の光は透過率が著しく低下し、図１３に示す入射角度と透過率の関係と同様に、波長６５０ｎｍの光が垂直入射時に１００％近く透過する誘電体多層膜を形成し、３０°の角度で光束を入射させると、透過率は２０〜３５％程度まで低下してしまう。
【００３６】
この光束周辺部の光強度が低下するとサーボピットパターンまたはウォブル溝の反射層２上に良好なスポットが形成できなかったり、サーボ信号を検出するときにプッシュプル信号の成分が小さくなったりしてしまい、安定した信号検出ができなくなるという不具合が発生する（図３（ａ），（ｂ）参照）。
【００３７】
光束周辺部の光強度の低下量としては、λ１＝６５０ｎｍの光を使った場合は、ＤＶＤのシステムに合わせて、最外周部での光強度として中心の光強度の３０％以上（周辺光線の強度：Ｒｉｍ３０％以上）確保すれば良好な信号を確保できると考えられる。
【００３８】
光源である半導体レーザ（λ１＝６５０ｎｍ）は楕円形の強度分布を持ち、その強度分布は中心部が明るく、周辺部になるに従って暗くなり、中心の光強度（明るさ）を１００％とすると、一番外側の光強度（明るさ）は０％となる。
この光源からの光を無駄なく利用するためには、一番外側の光まで取り込める大きさのカップリングレンズを用いた状態がＲｉｍ０％であり、このような強度分布の光を対物レンズで光ディスク上に集光すると、集光スポットの強度分布は中心部が強く（１００％）、周辺部が弱い（０％）スポットとなって、スポットの中で光の強度ムラがあることになって、光ディスクにデータを記録する際にきれいに記録できなくなる。データをきれいに記録するためには集光スポットの強度分布は中心部も周辺部も等しい強度であることが必要となる。
【００３９】
このため、光源の光を無駄なく使うことと、データをきれいに記録することとは相反することになり、この双方の条件を満たすために求めた条件として、光源の光を無駄にせず、かつデータをきれいに記録ができる条件を実験的に探した。その結果がＲｉｍ３０％以上である。
【００４０】
したがって、波長選択膜を透過後の光束における最外周部の光強度が中心部の光強度の３０％以上を確保できるように、対物レンズに入射させる光束は最外周部の光強度が中心の光強度の３０％よりも大きい光束を入射させればよい。
【００４１】
そのためには、図４に示す光ピックアップ装置のように、第１波長の光源からの出射光を取り込むカップリングレンズ１４の焦点距離を長くすればよい。一例として半導体レーザである光源１２の楕円形の強度分布を示すＦＦＰ（Ｆar Ｆield Ｐattern：遠視野特性）が水平方向に１０°、垂直方向に２０°（θ//＝１０°，θ⊥＝２０°）の場合、カップリングレンズ１４の焦点距離を２０ｍｍとすると最外周部での光強度は中心の光強度の４２％となる。この光束を波長選択膜５ｃに入射させることで周辺部の光強度が低下してもＲｉｍ３０％以上を確保できるようになる。
【００４２】
次に、図５は本発明の実施の形態２における光学素子の構成例の（ａ）は正面図、（ｂ）は側面図、（ｃ）は入出力の特性を示す図である。前述の実施の形態１においては、入射角度によって透過率が変動する波長選択膜のために、あらかじめ光束周辺部の光強度が大きい光束を対物レンズ１１に入射させればよいことを示した。そして本実施の形態２として、中心部の光強度を低下させて周辺部の光強度を向上させる光学素子を備えた光ピックアップ装置の構成を提案する。
【００４３】
図５に示す光学素子１８ａは、中心部の透過率が小さく、周辺部になるに従い透過率が大きくなるＮＤ（Ｎeutral Ｄensity：中性濃度）フィルタである。このような光学素子１８ａを光束が透過すると、中心部は光強度が弱められ、周辺部は弱められることなく透過することになる。その結果、中心部よりも周辺部の強度が強い光強度分布の光束となり（図５（ｃ）に示す破線の光強度分布）、波長選択膜により周辺部の光束の透過率が低下させられたとしても最外周部の光強度が中心の光強度の３０％以上となるようにすることができる。
【００４４】
また光学素子の他の例として、図６（ａ）は正面図、図６（ｂ）は側面図、図６（ｃ）は入出力の特性を示す図のように、前述のＮＤフィルタの代わりに偏光フィルタを用いてもよい。光源から出射された偏光方向と直交する偏光フィルタは光束を遮断するが、偏光方向と平行な偏光フィルタは光を透過させる。これを利用して中心部の透過率が小さく、周辺部になるに従い透過率が大きくなるように偏光フィルタの方向を同心円状に変わるようにすれば中心部の光強度を低下させることができる。中心部の光強度を低下させて周辺部の光強度を向上させる光学素子１８ｂは、光源からの光束は通過するが光記録媒体からの反射光が通らない位置に配置することが望ましい。例えば、図７に示す光ピックアップ装置のように、光源１２の直後に配置する。
【００４５】
次に、波長選択膜を透過できなかった第１波長の光束について説明する。本来であれば波長選択膜を透過するはずであった第１波長の光束のうち、例えば入射角度が大きく透過できなかった光束８’は、波長選択膜で反射されることになる（図８参照）。反射された光束は対物レンズ１１へと戻り、図９に示した光ピックアップ装置の光学系を戻って受光素子１７へと導かれる。この光束は本来のサーボピットパターンまたはウォブル溝の反射層２の面で反射された光ではないため、フレア光となって信号に悪影響を与えることになる。そのため、波長選択膜５ｃで反射された光束８’はできるだけ弱められて受光素子１７へと入ることが望ましい。
【００４６】
そのためには、波長選択膜５ｃとサーボピットパターンまたはウォブル溝を有する面との間の距離ｔが離れていることが望ましい。これは反射層が２つある２層メディアからのフレアと同じような状態であるため、波長選択膜と反射層との間の距離は、特許文献２に開示されている中間層の厚さにすることが望ましい。
【００４７】
具体的にはデフォーカス時の再生レベル（波長選択膜から反射する光強度）をオンフォーカス時の再生レベル（サーボピットパターンまたはウォブル溝の反射層から反射する光強度）の例えば１／１０以下とするために、対物レンズの開口数をＮＡ、光源波長をλ、情報記録面の間の屈折率をｎとして、波長選択膜と反射層との間の距離ｔは以下の（数４）
【００４８】
【数４】
2006351145.tif 000006
のようにすればよい。なお、前述した波長選択膜と反射層との層間の距離ｔは大きいほど波長選択膜で反射された光束は弱められて受光素子に入ることになりフレアは小さくなるが、ホログラム記録層などの光情報記録媒体の構成に必要な領域を確保できる範囲とする。
【００４９】
このように波長選択膜と反射層との間の距離ｔを一定値以上にすると、波長選択膜で反射された第１波長の光束は、信号光に比べて受光素子に入る光量が少なくなるためフレアによる信号劣化を抑えることができる。
【００５０】
図１０は本発明の実施の形態３における光メモリ装置の概略構成を示すブロック図である。図１０に示す光メモリ装置２０は、光情報記録媒体としての光ディスク１０を回転駆動するためのスピンドルモータ２２、光ピックアップ装置２３、レーザコントロール回路２４、エンコーダ２５、モータドライバ２６、再生信号処理回路２７、サーボコントローラ２８、バッファＲＡＭ２９、バッファマネージャ３０、インタフェース３１、リード・オンリー・メモリ（ＲＯＭ）３２、中央演算処理装置（ＣＰＵ）３３、ランダム・アクセス・メモリ（ＲＡＭ）３４などを備えている。なお、図１０における矢印は、代表的な信号や情報の流れを示すものであり、各ブロックの接続関係の全てを表すものではない。
【００５１】
光ピックアップ装置２３は、光ディスク１０にレーザ光を照射すると共に、記録面からの回折光を受光し、情報の記録または再生を行うための装置である。例えば前述した各実施の形態において説明したが図１１のような構成となっている。
【００５２】
再生信号処理回路２７は、光ピックアップ装置２３の出力信号である電流信号を電圧信号に変換し、この電圧信号に基づいてウォブル信号、再生情報を含むＲＦ信号およびサーボ信号（フォーカスエラー信号、トラックエラー信号）などを検出する。
【００５３】
そして、再生信号処理回路２７では、ウォブル信号からアドレス情報および同期信号等を抽出する。ここで抽出されたアドレス情報はＣＰＵ３３に出力され、同期信号はエンコーダ２５に出力される。さらに、再生信号処理回路２７では、ＲＦ信号に対して誤り訂正処理等を行った後、バッファマネージャ３０を介してバッファＲＡＭ２９に格納する。また、サーボ信号は再生信号処理回路２７からサーボコントローラ２８に出力される。サーボコントローラ２８では、サーボ信号に基づいて光ピックアップ装置２３を制御する制御信号を生成し、モータドライバ２６に出力する。
【００５４】
バッファマネージャ３０では、バッファＲＡＭ２９へのデータの入出力を管理し、蓄積されたデータ量が所定の値になると、ＣＰＵ３３に通知する。モータドライバ２２では、サーボコントローラ２８からの制御信号およびＣＰＵ３３の指示に基づいて、光ピックアップ装置２３およびスピンドルモータ２２を制御する。
【００５５】
エンコーダ２５では、ＣＰＵ３３の指示に基づいて、バッファＲＡＭ２９に蓄積されているデータを、バッファマネージャ３０を介して取り出し、エラー訂正コードの付加などを行い、光ディスク１０への書き込みデータを作成するとともに、再生信号処理回路２７からの同期信号に同期して、書き込みデータをレーザコントロール回路２４に出力する。レーザコントロール回路２４では、エンコーダ２５からの書き込みデータに基づいて、光ピックアップ装置２３からのレーザ光の出力を制御する。
【００５６】
以上のように構成された光メモリ装置２０において、前述の各実施の形態において説明した光ピックアップ装置が、第１波長の光束のみを透過し、また波長選択膜に垂直から大きく傾いた光が入射したときに生じる透過率の劣化を補うような構成となっているため、この光ピックアップ装置を適宜用いることにより、サーボピットパターンまたはウォブル溝を有する反射層の面上で良好なスポットが得られるとともに安定したプッシュプル信号を得られるため、信頼性の高いサーボ信号が得られる。これにより安定した記録再生を行う光メモリ装置を実現することができる。
【産業上の利用可能性】
【００５７】
本発明に係る光情報記録媒体および光ピックアップ装置ならびに光メモリ装置は、波長選択膜を透過することにより光束の周辺部に生じる光強度の低下を補正し、反射層のサーボピットパターンまたはウォブル溝の面上に良好なスポットが形成でき、サーボ信号を検出するためのプッシュプル信号の低下を抑制して、安定した記録再生ができ、ホログラフィを利用して情報を記録する光情報記録媒体と、これを用いる光ピックアップ装置および光メモリ装置に有用である。
【図面の簡単な説明】
【００５８】
【図１】本発明の実施の形態１における光情報記録媒体の概略構成を示す図
【図２】光情報記録媒体に光束入射時の（ａ）は波長選択膜の透過前、（ｂ）は波長選択膜の透過後、（ｃ）は反射層で反射され波長選択膜を再度透過後の光束の光強度を示す図
【図３】入射光束の反射層上にスポットを形成する（ａ）は周辺部に減衰のない状態、（ｂ）は周辺部に減衰のある状態の光強度分布，スポット，プッシュプル信号を示す図
【図４】本実施の形態１における光ピックアップ装置の概略構成を示す図
【図５】本発明の実施の形態２における光学素子の構成例の（ａ）は正面図、（ｂ）は側面図、（ｃ）は入出力の特性を示す図
【図６】本実施の形態２における他の光学素子の構成例で（ａ）は正面図、（ｂ）は側面図、（ｃ）は入出力の特性を示す図
【図７】図６に示す光学素子の配置例を示した光ピックアップ装置の概略構成を示す図
【図８】波長選択膜を透過光束における透過できなかった光束を説明する図
【図９】波長選択膜を透過できなかった光束の光ピックアップ装置における光路を説明する図
【図１０】本発明の実施の形態３における光メモリ装置の概略構成を示すブロック図
【図１１】本実施の形態３の光メモリ装置に用いる光ピックアップ装置の概略構成を示すブロック図
【図１２】従来の光情報記録媒体の概略構成を示す図
【図１３】誘電体多層膜を透過する光束の入射角度と透過率の関係を示す図
【符号の説明】
【００５９】
１  下基板（透明基板）
２  反射層
３  ホログラム記録層
４  上基板（カバー基板）
５  フィルタ層
５ａ  ギャップＡ層
５ｂ  ギャップＢ層
５ｃ  波長選択膜
８  第１波長の光束
８’  波長選択膜で反射される第１波長の光束
９  第２波長の光束
１０  光情報記録媒体（光ディスク）
１１  対物レンズ
１２  光源
１３  偏光ビームスプリッタ
１４  カップリングレンズ
１５  ダイクロイックミラー
１６  検出レンズ
１７  受光素子
１８，１８ａ，１８ｂ  光学素子
２０  光メモリ装置
２２  スピンドルモータ
２３  光ピックアップ装置
２４  レーザコントロール回路
２５  エンコーダ
２６  モータドライバ
２７  再生信号処理回路
２８  サーボコントローラ
２９  バッファＲＡＭ
３０  バッファマネージャ
３１  インタフェース
３２  ＲＯＭ
３３  ＣＰＵ
３４  ＲＡＭ
【図１】
2006351145.tif 000008
【図２】
2006351145.tif 000009
【図３】
2006351145.tif 000010
【図４】
2006351145.tif 000011
【図５】
2006351145.tif 000012
【図６】
2006351145.tif 000013
【図７】
2006351145.tif 000014
【図８】
2006351145.tif 000015
【図９】
2006351145.tif 000016
【図１０】
2006351145.tif 000017
【図１１】
2006351145.tif 000018
【図１２】
2006351145.tif 000019
【図１３】
2006351145.tif 000020